(57)【要約】【課題】ユーザが望むであろう目的のサブリミナル効果を推測して最適なサブリミナル効果を与えるサブリミナル効果機能付テレビを提供することである。【解決手段】サブリミナル効果機能付テレビ１０は、サブリミナル効果を与える複数の画像を記憶するフラッシュメモリ３０と、ＭＰＵ３１と、フラッシュメモリ３０に記憶された画像を選択する基準となる情報を提供する情報提供部とを有し、該情報提供部は、視聴中の番組のジャンルを提供するＥＰＧ取得部２６と、現在の時刻又は曜日の情報を提供する時計２７と、現在の天気の情報を提供する天気情報提供部２８と、現在の気温の情報を提供する温度計２９とからなり、ＭＰＵ３１は、前記情報提供部から何れかの情報を取得し、該取得した情報の内容に応じて予め関連付けられた画像をフラッシュメモリ３０から読み出して視聴中の映像に意識されない頻度で挿入する。【選択図】図１
2008078704.tif 000002
【特許請求の範囲】
【請求項１】
サブリミナル効果を与える複数の画像を記憶するフラッシュメモリと、該フラッシュメモリから所定の画像を読み出して視聴中の映像に意識されない頻度で挿入するＭＰＵとを備えたサブリミナル効果機能付テレビにおいて、
前記フラッシュメモリに記憶された画像を選択する基準となる情報を提供する情報提供部を有し、
該情報提供部は、視聴中の番組のジャンルを提供するＥＰＧ取得部と、現在の時刻又は曜日の情報を提供する時計と、現在の天気の情報を提供する天気情報提供部と、現在の気温の情報を提供する温度計とからなり、
前記ＭＰＵは、前記情報提供部から何れかの情報を取得し、該取得した情報の内容に応じて予め関連付けられた画像を前記フラッシュメモリから読み出して視聴中の映像に意識されない頻度で挿入することを特徴とするサブリミナル効果機能付テレビ。
【請求項２】
サブリミナル効果を与える複数の画像を記憶する記憶部と、該記憶部から所定の画像を読み出して視聴中の映像に意識されない頻度で挿入する制御部とを備えたサブリミナル効果機能付テレビにおいて、
前記記憶部に記憶された画像を選択する基準となる情報を提供する情報提供部を有し、
前記制御部は、前記情報提供部から情報を取得し、該取得した情報の内容に応じて予め関連付けられた画像を前記記憶部から読み出して視聴中の映像に意識されない頻度で挿入することを特徴とするサブリミナル効果機能付テレビ。
【請求項３】
前記情報提供部が、視聴中の番組のジャンルの情報を提供するＥＰＧ取得部であることを特徴とする請求項２記載のサブリミナル効果機能付テレビ。
【請求項４】
前記情報提供部が、現在の時刻又は曜日の情報を提供する時計であることを特徴とする請求項２記載のサブリミナル効果機能付テレビ。
【請求項５】
前記情報提供部が、現在の天気の情報を提供する天気情報提供部であることを特徴とする請求項２記載のサブリミナル効果機能付テレビ。
【請求項６】
前記情報提供部が、現在の気温の情報を提供する温度計であることを特徴とする請求項２記載のサブリミナル効果機能付テレビ。
【発明の詳細な説明】
【技術分野】
【０００１】
本発明は、記憶部から所定の画像を読み出して視聴中の映像に意識されない頻度で挿入する機能を有したサブリミナル効果機能付テレビに関する。
【背景技術】
【０００２】
映像の中に意識されないレベルの画像を挿入することによって、視聴者の生理的要求や心理的効果を誘発・促進するといわれているサブリミナル効果が知られている。そして、このサブリミナル効果を利用した様々な発明が提案されている。
【０００３】
例えば、特許文献１には、テレビの画面に映し出される放送番組あるいはビデオ画面、音声に合成して、予め記憶させた画像及び音声による暗示メッセージを、視聴者がほとんど知覚できないように瞬間的に又は可聴領域外の音声で繰り返し再生することにより、潜在意識に前記メッセージを送り込むようにした自己改善方法が開示されている。
【０００４】
また特許文献２には、予め暗示用の画像データを記憶させた記憶手段から画像データを読み出してテレビ信号に変換し、これをテレビ受像機に入力される搬送波に割り込ませ、割り込みの時間、動作タイミングを制御して無意識的に自己暗示をかけられるようにした暗示装置が開示されている。
【０００５】
また特許文献３には、サブリミナル効果を利用し、目的に応じた画像を、ＩＣカードやＲＯＭ等の記憶装置から読み出し、挿入画像を切換回路により挿入し、精神状態の安定化等の心理療養器としての効果や、睡眠を誘う効果などを期待できるディスプレイ装置が開示されている。
【０００６】
また特許文献４には、テレビ映像及び音声にサブリミナル効果を目的として静止画像・音声を挿入する機能をもつ装置であり、テレビ受像機に接続することにより、一般映像受像中に任意の頻度で、ＲＯＭカートリッジ、ＩＣカードなどの媒体により別に準備された任意の１フレームを挿入する構成が開示されている。
【特許文献１】特開平２−１２１６７４号公報
【特許文献２】特開昭６３−２５７５７５号公報
【特許文献３】特開平５−２４４５３０号公報
【特許文献４】特開平８−２４２４１１号公報
【発明の開示】
【発明が解決しようとする課題】
【０００７】
しかしながら上記の特許文献１〜４では、所望する目的のサブリミナル効果に応じてユーザが画像を選ぶ必要があり、その操作が煩雑であった。特に所望するサブリミナル効果の目的が決まっていない場合でも、ユーザが何れかの画像を選ばなければサブリミナル効果を得ることはできない。
【０００８】
また、画像を選ぶ操作が面倒でいつも同じ画像を選んでいては同じサブリミナル効果しか得られない。また、無造作に画像を選ぶとその時と場合に応じた適切なサブリミナル効果を得ることができない。例えば、就寝前に集中力を高める画像を選んでしまうと目が覚めてしまい、逆効果となる。
【０００９】
本発明は、ユーザが望むであろう目的のサブリミナル効果を推測して最適なサブリミナル効果を与えるサブリミナル効果機能付テレビを提供することを目的とする。
【課題を解決するための手段】
【００１０】
上記目的を達成するために本発明は、サブリミナル効果を与える複数の画像を記憶する記憶部と、該記憶部から所定の画像を読み出して視聴中の映像に意識されない頻度で挿入する制御部とを備えたサブリミナル効果機能付テレビにおいて、
前記記憶部に記憶された画像を選択する基準となる情報を提供する情報提供部を有し、
前記制御部は、前記情報提供部から情報を取得し、該取得した情報の内容に応じて予め関連付けられた画像を前記記憶部から読み出して視聴中の映像に意識されない頻度で挿入することを特徴とする。
【００１１】
上記のサブリミナル効果機能付テレビにおいて、前記情報提供部は、視聴中の番組のジャンルの情報を提供するＥＰＧ取得部を採用することができる。
【００１２】
また上記のサブリミナル効果機能付テレビにおいて、前記情報提供部は、現在の時刻又は曜日の情報を提供する時計を採用することができる。
【００１３】
また上記のサブリミナル効果機能付テレビにおいて、前記情報提供部は、現在の天気の情報を提供する天気情報提供部を採用することができる。
【００１４】
また上記のサブリミナル効果機能付テレビにおいて、前記情報提供部は、現在の気温の情報を提供する温度計を採用することができる。
【００１５】
また本発明は、サブリミナル効果を与える複数の画像を記憶するフラッシュメモリと、該フラッシュメモリから所定の画像を読み出して視聴中の映像に意識されない頻度で挿入するＭＰＵとを備えたサブリミナル効果機能付テレビにおいて、
前記フラッシュメモリに記憶された画像を選択する基準となる情報を提供する情報提供部を有し、
該情報提供部は、視聴中の番組のジャンルを提供するＥＰＧ取得部と、現在の時刻又は曜日の情報を提供する時計と、現在の天気の情報を提供する天気情報提供部と、現在の気温の情報を提供する温度計とからなり、
前記ＭＰＵは、前記情報提供部から何れかの情報を取得し、該取得した情報の内容に応じて予め関連付けられた画像を前記フラッシュメモリから読み出して視聴中の映像に意識されない頻度で挿入することを特徴とする。
【発明の効果】
【００１６】
本発明によれば、サブリミナル効果機能付テレビ自身が、ユーザが望むであろう目的のサブリミナル効果を推測して最適なサブリミナル効果を与える画像を選び出すので、ユーザはどのようなサブリミナル効果を得たいかを考えて画像を指定する必要がないので手間が省ける。また、テレビを見ているだけで潜在意識を活性化することができ、時間を有効に使うことができる。
【発明を実施するための最良の形態】
【００１７】
以下、デジタル放送受信機を用いたサブリミナル効果機能付テレビを例に説明する。図１は、サブリミナル効果機能付テレビ１０の構成を示すブロック図である。１１はユーザが電源のオン／オフや選局やサブリミナル効果機能の選択等の各種操作を行う操作部である。なお、操作部１１は遠隔操作可能なリモコンとしてもよい。１３はアンテナ（不図示）で受信したデジタル放送波から所望のチャンネルの放送を選局するチューナ部、１４はチューナ部１３からの出力波をデジタル信号に変換するＡ／Ｄ変換部、１５はその出力をデータに復調する復調部である。
【００１８】
また、１６は復調部１５で復調されたデータを種別毎に分離して出力するＴＳデマルチプレクサであり、１７はその分離されたデータを記憶するＲＡＭ、１８はサブリミナル効果機能付テレビ１０の動作に必要な情報を記憶しているＲＯＭである。ＲＯＭ１８には、例えば、サブリミナル効果機能を実行するプログラムであるサブリミナル効果実行プログラムが記憶されている。１９はＲＡＭ１７に記憶されたデータ中の音声データをアナログ化するＤ／Ａ変換部であり、２０はＤ／Ａ変換部１９によりアナログ化された音声データを出力する音声信号出力部、２１は音声を放音するスピーカである。
【００１９】
また、２２はＲＡＭ１７に記憶されたデータ中の映像データを圧縮前の映像データに復号化するＭＰＥＧ（Motion Picture Experts Group）２デコード部であり、２３はその復号化された映像データと後述するＥＰＧ取得部２６から送られてくるＥＰＧデータとをＮＴＳＣ復号テレビジョン信号に復号化するＮＴＳＣエンコード部、２４はそのＮＴＳＣ復号テレビジョン信号を出力する映像信号出力部、２５は映像を表示するディスプレイである。
【００２０】
また、２６はＲＡＭ１７に記憶されたデータ中のＥＰＧデータを解析し、ＮＴＳＣエンコード部２３へ出力したり、視聴中の番組のジャンルを後述するＭＰＵ３１に提供したりするＥＰＧ取得部であり、２７は現在の時刻や曜日や日付の情報を提供する時計、２８は天気予報や現在の天気の情報を提供する天気情報提供部、２９は現在の気温の情報を提供する温度計である。ＥＰＧ取得部２６と時計２７と天気情報提供部２８と温度計２９とは、後述するフラッシュメモリ３０に記憶された画像を選択する基準となる情報を提供するので、それらをまとめて情報提供部と称する。なお、情報提供部はＥＰＧ取得部２６、時計２７、天気情報提供部２８、温度計２９のうち少なくとも何れか１つを備えていればよい。天気情報提供部２８は、天気に関する文字放送から情報を抽出する装置を採用したり、温度や湿度などから天気を判断する装置を採用することができる。
【００２１】
また、３０はサブリミナル効果を与える複数の画像を記憶する記憶部としてのフラッシュメモリである。サブリミナル効果を与える画像とは、ストレス解消のための画像、集中力強化のための画像、精神強化のための画像、空腹・のどの渇き・排尿・排便等の生理作用を誘発する健康増進のための画像、眠りを誘発する画像、気分を安定化させる画像、気分を向上させる画像などが挙げられる。そして、色による温度感覚ややすらぎ感、画像スペクトルによる安定感や緊張感、画像内容による生理現象の誘発など、用途に応じて種々の画像が考えられる。
【００２２】
ここで、フラッシュメモリ３０に記憶される画像は、製造時に予め記憶された画像であってもよいし、ユーザが使用時に記憶した任意の画像であってもよい。ユーザが所望する画像を記憶させるようにするためには、予めメニューに画像記録モードを組み込んでおけばよい。そして画像記録モードにおいて、ＤＶＤ装置などの外部装置からユーザによって指定された画像を取り込んで記憶させたり、操作部１１が操作されて入力された文章を画像として記憶させたりすればよい。
【００２３】
そして、フラッシュメモリ３０に記憶されたぞれぞれの画像は情報提供部から提供される情報の内容に応じて関連づけられている。各画像に対して情報の内容を関連付けても、各情報の内容に対して画像を関連付けてもどちらでもよい。例えば、ストレス解消のための画像は、番組のジャンルの情報であるアクション映画に関連付けることができる。また、眠りを誘発する画像は、時刻の情報である午後１１時から午前３時までに関連付けることができる。また、気分を向上させる画像は、天気の情報である雨に関連付けることができる。また、やすらぎ感を与える画像は、曜日の情報である日曜に関連付けることができる。また、気分を安定化させる画像は、気温の情報である３０℃以上に関連付けることができる。
【００２４】
そして、３１はサブリミナル効果機能付テレビ１０の動作を制御する制御部としてのＭＰＵである。例えば、ＭＰＵ３１は、サブリミナル効果実行プログラムに基づいて、フラッシュメモリ３０から所定の画像を読み出して視聴中の映像に意識されない頻度で挿入する制御を行う。
【００２５】
次に、サブリミナル効果機能付テレビ１０が放送を受信するときの動作について説明する。まず、アンテナがデジタル放送波を受信し、操作部１１が選局操作されると、チューナ部１３は受信するトランスポンダの切換を行う。受信したデジタル放送波はＡ／Ｄ変換部１４によりデジタル化され、復調部１５によりデータが復調される。
【００２６】
もともと、デジタル信号は送信側からＴＳ（Transport Stream）パケットの形で伝送されてくる。ＴＳパケットは映像データ、音声データ、ＥＰＧデータ等を含む制御データからなり、この制御データをＴＳデマルチプレクサ１６により、分離して出力し、ＲＡＭ１７に記憶する。そして、ＲＡＭ１７から読み出した音声データをＤ／Ａ変換部１９によりアナログ化し、音声信号出力部２０を介してスピーカ２１から音声を放音する。
【００２７】
また、ＲＡＭ１７から読み出した映像データをＭＰＥＧ２デコード部２２により圧縮前の映像データに復号化し、ＮＴＳＣエンコード部２３によりＮＴＳＣ復号テレビジョン信号に復号化し、映像信号出力部２４を介してディスプレイ２５に映像を表示する。更に、ＲＡＭ１７から読み出したＥＰＧデータをＥＰＧ取得部２６で解析し、ＮＴＳＣエンコード部２３によりＮＴＳＣ復号テレビジョン信号に復号化し、映像信号出力部２４を介してディスプレイ２５に映像を表示する。
【００２８】
このとき、ユーザがメニュー画面でサブリミナル効果機能をＯＮに設定していると、以下で説明するようにＭＰＵ３１はフラッシュメモリ３０から所定の画像を読み出して出力映像中にユーザに意識されない頻度でその画像を挿入するように制御する。
【００２９】
次に、サブリミナル効果機能付テレビ１０がサブリミナル効果機能を実行する場合において、ユーザが望むであろう目的のサブリミナル効果を推測して最適なサブリミナル効果を与える動作について説明する。
【００３０】
図２は、サブリミナル効果機能を実行する場合のサブリミナル効果機能付テレビ１０の動作を示すフローチャートである。まず、テレビ放送や外部入力による映像を出力している状態で、ステップＳ１０においてＭＰＵ３１はサブリミナル効果機能がＯＮに設定されているか否かを判別する。サブリミナル効果機能がＯＦＦに設定されている場合はステップＳ１４へ進んで通常の映像をディスプレイ２５に出力する。
【００３１】
一方、ユーザにより操作部１１が操作されてサブリミナル効果機能がＯＮに設定されている場合は、ステップＳ１１へ進んでＭＰＵ３１は情報提供部から情報を取得する。ここで取得する情報は、何れかの情報提供部だけから取得してもよいし、全ての情報提供部から取得してもよい。何れかの情報提供部だけから情報を取得することを採用する場合は、サブリミナル効果機能をＯＮに設定する際にユーザに所望の情報提供部を選択させておいたり、優先順位に基づいて決定したりすればよい。一方、全ての情報提供部から情報を取得することを採用する場合は、取得した情報に優先順位を付けて以下の処理でどの情報を用いるかを決定すればよい。なお、優先順位は、ユーザが指定できるようにしてもよいし、製造時にＲＯＭ１８に組み込んでおいてもよい。
【００３２】
ステップＳ１１からステップＳ１２へ進んで、ＭＰＵ３１は、ステップＳ１１で取得した情報の内容に応じて関連付けられた画像をフラッシュメモリ３０から読み出す。そして、ステップＳ１３へ進んで、ＭＰＵ３１は読み出した画像を視聴中の映像に意識されない頻度で挿入し、ステップＳ１４へ進んでその映像をディスプレイ２５に出力する。なお、ユーザに意識されない頻度で画像を挿入するには、数秒間に１回、フレーム単位で所定の画像を挿入すればよい。
【００３３】
上記のフローチャートは１時間毎など視聴を開始して所定時間が経過する度に繰り返すことが望ましい。それぞれの情報提供部から提供される情報の内容が更新されているからである。また、サブリミナル効果機能のＯＮ／ＯＦＦの設定は電源を切っても維持されるようにすれば、使い勝手がよい。一方、一度電源を切ると常にＯＦＦの設定になるようにすれば、ユーザが入れ替わって視聴する場合に知らないうちにサブリミナル効果を受けることを防止できる。
【００３４】
このように、サブリミナル効果機能付テレビ１０自身が、ユーザが望むであろう目的のサブリミナル効果を推測して最適なサブリミナル効果を与える画像を選び出す。従って、ユーザはどのようなサブリミナル効果を得たいかを考えて画像を指定する必要がないので手間が省ける。また、テレビを見ているだけで潜在意識を活性化することができ、時間を有効に使うことができる。
【産業上の利用可能性】
【００３５】
本発明のサブリミナル効果機能付テレビは、上記実施形態で説明したデジタル放送受信機をはじめ、アナログ放送受信機にも適用することができる。そして、このサブリミナル効果機能付テレビは、ビデオ装置、ＤＶＤレコーダ、ＨＤＤレコーダなどと一体型の複合機であってもよい。
【図面の簡単な説明】
【００３６】
【図１】本発明のサブリミナル効果機能付テレビの構成を示すブロック図である。
【図２】サブリミナル効果機能を実行する場合のサブリミナル効果機能付テレビの動作を示すフローチャートである。
【符号の説明】
【００３７】
１０    サブリミナル効果機能付テレビ
２６    ＥＰＧ取得部
２７    時計
２８    天気情報提供部
２９    温度計
３０    フラッシュメモリ
３１    ＭＰＵ
【図１】
2008078704.tif 000003
【図２】
2008078704.tif 000004